(57)【要約】【課題】所望の撮影画質が得られるパラメータの内容を適切、且つ容易にユーザが設定できるデジタルカメラを提供する。【解決手段】内蔵メモリ３、或いはＲＯＭ８には、撮影画質に影響するパラメータの選択可能な内容別に、その内容で撮影されたサンプル画像が格納されている。システム制御部６は、そのパラメータの内容をユーザが選択する場合に、サンプル画像を、信号処理部２、及びＬＣＤ  Ｉ／Ｆ１２を介してＬＣＤ１３に表示させる。【選択図】      図１
2004282178.tif 000002
【特許請求の範囲】
【請求項１】
撮影画質に影響するパラメータをユーザが設定可能なデジタルカメラにおいて、
前記設定の際に選択可能な前記パラメータの内容別に、該パラメータの内容で撮影されたサンプル画像を記憶した画像記憶手段と、
画像を表示できる表示手段と、
前記パラメータの内容をユーザが選択する場合に、該選択の対象となる内容のサンプル画像を前記画像記憶手段から読み出して前記表示手段に表示させる制御手段と、を具備することを特徴とするデジタルカメラ。
【請求項２】
前記パラメータは、撮影画素数、及び撮影した画像の圧縮率のうちの少なくとも一つである、ことを特徴とする請求項１記載のデジタルカメラ。
【請求項３】
前記表示手段は、液晶表示装置、或いは電子式ビューファインダーである、ことを特徴とする請求項１、または２記載のデジタルカメラ。
【発明の詳細な説明】
【０００１】
【発明の属する技術分野】
本発明は、撮影画質に影響するパラメータをユーザが設定可能なデジタルカメラに関する。
【０００２】
【従来の技術】
近年では、被写体の画像をデジタルデータとして扱えるデジタルカメラが広く普及している。そのデジタルカメラでは、被写体からの光をＣＣＤ（Ｃｈａｒｇｅ  Ｃｏｕｐｌｅｄ  Ｄｅｖｉｃｅ）等に導いて電気信号（アナログの画像データ）に変換し、その電気信号を処理してデジタルの画像データを生成するようになっている。
生成した画像データは、通常、ロスレスでない圧縮方式により圧縮されて保存される。保存される画像の画質（撮影画質）は圧縮率により変化する。これは、圧縮率により保存可能な画像数（枚数）が変化することを意味する。このことから、大部分のデジタルカメラは、圧縮率をユーザが選択できるようになっている。その撮影画質は、撮影画素数によっても変化することから、撮影画素数を選択できるようになっているものも多く製品化されている。
圧縮率、及び撮影画素数の両方をパラメータとして選択できるようにする場合、それらを別々に設定させるようにすると、それらの組み合わせが判りにくくなる。このことから、例えば特許文献１に記載されているように、選択可能な組み合わせを表示装置上に表示させ、その組み合わせのなかで選択するものをカーソルの移動により選択できるようになっているデジタルカメラがある。
その従来のデジタルカメラでは、例えば撮影画素数として１２８０×９６０、６４０×４８０、圧縮率としてＦｉｎｅ、Ｎｏｒｍａｌ、Ｅｃｏｎｏｍｙがそれぞれ選択可能な場合、メニュー表示画面に「１２８０Ｆ」「６４０Ｅ」等を、組み合わせを示すシンボルとして表示させる。それにより、ユーザは、所望のシンボルにカーソルを移動させ確定させることにより、撮影画素数と圧縮率の組み合わせを同時に設定するようになっている。
【特許文献１】特開２００１−３４６０７５公報
【０００３】
【発明が解決しようとする課題】
上記従来のデジタルカメラでは、撮影画素数と圧縮率の組み合わせを示すシンボルを表示させることにより、所望の組み合わせ、つまり撮影画質をユーザが容易に設定できるようにさせている。しかし、そのように組み合わせを設定できるようにしても、対応する撮影画質をユーザが具体的にイメージできるとは限らない。このため、所望の撮影画質が得られる適切な組み合わせ（パラメータの内容）を必ずしも設定できないという問題点があった。
本発明は、所望の撮影画質が得られるパラメータの内容を適切、且つ容易にユーザが設定できるデジタルカメラを提供することを目的とする。
【０００４】
【課題を解決するための手段】
本発明はかかる課題を解決するために、請求項１は、撮影画質に影響するパラメータをユーザが設定可能なデジタルカメラにおいて、前記設定の際に選択可能な前記パラメータの内容別に、該パラメータの内容で撮影されたサンプル画像を記憶した画像記憶手段と、画像を表示できる表示手段と、前記パラメータの内容をユーザが選択する場合に、該選択の対象となる内容のサンプル画像を前記画像記憶手段から読み出して前記表示手段に表示させる制御手段と、を具備することを特徴とする。
請求項２は、前記パラメータは、撮影画素数、及び撮影した画像の圧縮率のうちの少なくとも一つであることを特徴とする。
請求項３は、前記表示手段は、液晶表示装置、或いは電子式ビューファインダーであることを特徴とする。
本発明のデジタルカメラは、撮影画質に影響するパラメータをユーザが設定可能であることを前提とし、設定の際に選択可能なパラメータの内容別に、該パラメータの内容で撮影されたサンプル画像を記憶した画像記憶手段と、画像を表示できる表示手段と、パラメータの内容をユーザが選択する場合に、該選択の対象となる内容のサンプル画像を画像記憶手段から読み出して表示手段に表示させる制御手段と、を具備する。
なお、上記パラメータは、撮影画素数、及び撮影した画像の圧縮率のうちの少なくとも一つである、ことが望ましい。また、表示手段は、液晶表示装置、或いは電子式ビューファインダーである、ことが望ましい。
本発明では、撮影画質に影響するパラメータをユーザが設定する場合に、設定（選択）可能なパラメータの内容で撮影されたサンプル画像を表示させる。そのサンプル画像の表示により、ユーザは所望の撮影画質が得られるパラメータの内容を認識することが可能となる。その結果、そのようなパラメータの内容を適切、且つ容易に設定できることとなる。
【０００５】
【発明の実施の形態】
以下、図面を参照しながら、本発明の実施の形態につき詳細に説明する。
図１は、本実施の形態によるデジタルカメラの構成図である。
そのカメラは、図１に示すように、被写体の撮影を行い、そのデジタルの画像データを出力する撮像部１と、その画像データに対して圧縮処理を含む各種処理を行う信号処理部２と、圧縮後の画像データを保存できる内蔵メモリ３と、着脱可能な記録媒体５にアクセスする記録媒体Ｉ／Ｆ４と、カメラ全体の制御を行うシステム制御部６と、その制御部６が実行するプログラムや各種制御用データを格納したＲＯＭ８と、各部に電力を供給する電池９と、レリーズボタンや各種設定用のスイッチ等を備えた操作部１０と、ＬＣＤ（液晶表示装置）１３と、画像データをＬＣＤ１３用の映像信号に変換してそのＬＣＤ１３に出力するＬＣＤ  Ｉ／Ｆ１２と、を備えて構成されている。
本実施の形態では、撮影画質に影響するパラメータとして、撮影画素数、及び圧縮率の両方をユーザが設定可能とさせている。その設定は、特には図示しないが、上記操作部１０に備えられた複数のスイッチを操作することにより行えるようになっている。その設定方法は、具体的には例えば特許文献１に記載されたようなものである。つまり、それらの組み合わせを示すシンボルをＬＣＤ１３に表示させて、所望のシンボルをユーザがカーソルの移動により選択させるようにしたものである。シンボルとしては、例えば撮影画素数として１２８０×９６０、６４０×４８０、圧縮率としてＦｉｎｅ、Ｎｏｒｍａｌ、Ｅｃｏｎｏｍｙがそれぞれ選択可能であれば、「１２８０Ｆ」「６４０Ｅ」等を表示させる。
【０００６】
ＬＣＤ１３に表示させるシンボル別に、そのシンボルが示す撮影画素数、及び圧縮率で撮影された画像はサンプル画像として内蔵メモリ３、或いはＲＯＭ８に予め格納されている。システム制御部６は、撮影画素数、及び圧縮率の組み合わせをユーザが設定する場合、即ちシンボルをＬＣＤ１３にさせている場合、例えば、カーソルにより選択状態となっているシンボルに対応するサンプル画像を背景として、内蔵メモリ３、或いはＲＯＭ８から読み出してＬＣＤ１３に表示させる。或いは操作部１０の所定のスイッチへの操作により、画面を切り換える形でそのサンプル画像をＬＣＤ１３に表示させる。なお、その表示は、サンプル画像を信号処理部２に解凍させ、その解凍後の画像をＬＣＤ  Ｉ／Ｆ１２にＬＣＤ１３用の映像信号に変換させてＬＣＤ１３に出力させることで行われる。
そのようにして、選択（設定）しようとする撮影画素数、及び圧縮率（カーソルの位置にあるシンボルが示すもの）での撮影画質をユーザにサンプル画像の形で提示する。そのサンプル画像により、ユーザは実際の撮影画質を具体的にイメージできるようになる。このため、所望の撮影画質が得られる組み合わせを適切、且つ容易に設定できることとなる。
【０００７】
なお、本実施の形態では、サンプル画像をＬＣＤ１３に表示させているが、他の表示装置に表示させるようにしても良い。例えば図２に示すように、電子式ビューファインダー（ＥＶＦ）１５に表示させるようにしても良い。その表示は、図１の構成のときと同様に、システム制御部６が、内蔵メモリ３、或いはＲＯＭ８から読み出したサンプル画像を信号処理部２に送って解凍させることで行われる。信号処理部２は、解凍後の画像をＥＶＦ  Ｉ／Ｆ１４に出力し、そのＩ／Ｆ１４はその画像をＥＶＦ１５用の映像信号に変換させてそのＥＶＦ１５に出力する。その結果、サンプル画像がＥＶＦ１５に表示されることとなる。
撮影画質に影響するパラメータとして、撮影画素数、及び圧縮率の両方をユーザが設定できるようになっているが、そのうちの一方だけが設定可能であっても良い。その設定方法は、特に限定されるものではないが、スイッチの位置を移動させて行うものであっても良い。その場合、スイッチの移動により、サンプル画像を所定時間、ＬＣＤ１３、或いはＥＶＦ１５に表示させるようにしても良い。
このことから明らかなように、サンプル画像の表示のさせ方は、設定方法などに応じても様々な変形を行うことができる。
【０００８】
【発明の効果】
以上説明したように本発明は、撮影画質に影響するパラメータをユーザが設定する場合に、設定（選択）可能なパラメータの内容で撮影されたサンプル画像を表示させる。そのサンプル画像の表示により、ユーザは所望の撮影画質が得られるパラメータの内容を認識することができる。このため、そのようなパラメータの内容を適切、且つ容易に設定できることとなる。
【図面の簡単な説明】
【図１】本実施の形態によるデジタルカメラの構成図である。
【図２】他の実施の形態によるデジタルカメラの構成図である。
【符号の説明】
１  撮像部、２  信号処理部、３  内蔵メモリ、６  システム制御部、８  ＲＯＭ、１０  操作部、１２  ＬＣＤ  Ｉ／Ｆ、１３  ＬＣＤ、１４  ＥＶＦ  Ｉ／Ｆ、１５  ＥＶＦ
【図１】
2004282178.tif 000003
【図２】
2004282178.tif 000004